(57)【要約】      （修正有）【課題】簡単な構造により、更に実用的なマルチプルカードの構造を提供する。【解決手段】ＣＤ読み取り面８５及びＩＣチップ８９或いは磁気帯８７を設け、ディスク８０表面には更に凹凸表示を有するディスク保護膜８２を貼設し、且つそれらの厚さの和がＩＳＯ７８１６協定の規格に適った厚さとなるように（約０．８ｍｍ）し、該ディスク８０を読み取り補助盤９０上に設置した際にその厚さが国際標準ＣＤの厚さの規格に適ったものとなり、該ディスク８０を該読み取り補助盤９０と共に光ディスクドライブ内に挿入可能とし、更に該ディスク８０の偏心位置に位置決め孔８１を設けることでＩＣチップの設置スペースを確保する。【選択図】        図３
2004158086.tif 000002
【特許請求の範囲】
【請求項１】
ディスクと、ディスク保護膜と、読み取り補助盤とより構成されるマルチプルカードにおいて、
表面に少なくとも一つのデータ読み取り区が設けられている上記ディスクと、
該ディスクの表面に貼設されていて、該ディスクの厚さと合わせてカードリーダー装置の規格に適した厚さとなる上記ディスク保護膜と、
該ディスクが設置されて固定される設置区が設けられており、該ディスク保護膜の貼設されたディスクが設置されて一体となって光ディスク読み取り装置の規格に適合する上記読み取り補助盤と、
を具有することを特徴とする多機能を具有するマルチプルカードの構造。
【請求項２】
該ディスク保護膜上には少なくとも一つの表示物が設けられており、且つ該表示物は磁気帯，文字，数字，図案，凹凸物，及びそれらの組合せより選択されていることを特徴とする請求項１記載の多機能を具有するマルチプルカードの構造。
【請求項３】
該ディスク上には偏心位置に位置決め孔が穿設されており、更に該ディスク保護膜上には該ディスク位置決め孔位置に相対して同様に保護膜位置決め孔が設けられていることを特徴とする請求項１記載の多機能を具有するマルチプルカードの構造。
【請求項４】
該読み取り補助盤上の中心位置には、凸設された中心位置決め柱，及び穿設された中心位置決め孔の内より選択して一つが設置されていることを特徴とする請求項３記載の多機能を具有するマルチプルカードの構造。
【請求項５】
該ディスクの厚さに更に該読み取り補助盤設置区の厚さを加えた厚さは、ちょうど世界標準光ディスク協定の規格に適ったものであることを特徴とする請求項１記載の多機能を具有するマルチプルカードの構造。
【請求項６】
該読み取り補助盤は補助盤上蓋板と補助盤下蓋板とより構成され、
内部には該ディスクの外形と相互に嵌合し、該ディスクを設置する個所であるディスク設置位置を具有する該補助盤上蓋板と、
該嵌合装置によって該補助盤上蓋板と相互に嵌合されて固定され、且つ補助盤下蓋板の厚さに該ディスクの厚さを加えた厚さはちょうど世界標準光ディスク協定の規格に適ったものである該補助盤下蓋板と、
を具有することを特徴とする請求項１記載の多機能を具有するマルチプルカードの構造。
【請求項７】
該嵌合装置においては、少なくとも固定溝，固定柱，嵌合孔，嵌合凸球，並びにそれらの組合せより選択されて構成されていることを特徴とする請求項６記載の多機能を具有するマルチプルカードの構造。
【請求項８】
ディスクと、読み取り補助盤と、より構成されるマルチプルカードの構造において、
該表面には少なくともデータ読み取り区が設けられており、且つ偏心位置に位置決め孔が穿設されているディスクと、
表面には該ディスクが設置できる設置区が陥没して設けられており、且つ該設置区の厚さに更に該ディスクの厚さを加えた厚さは世界標準光ディスク協定の規格に適ったものである読み取り補助盤と、
を含むことを特徴とする多機能を具有するマルチプルカードの構造。
【請求項９】
該マルチプルカードの構造には該ディスク表面上に貼られるディスク保護膜を含み、且つ該ディスク保護膜上には少なくとも磁気帯、或いは文字、或いは数字、或いは図案、或いは凹凸物、或いはそれらの組合せの内より選択されたものにより表示がされていることを特徴とする請求項８記載の多機能を具有するマルチプルカードの構造。
【請求項１０】
該ディスクの厚さに該ディスク保護膜の厚さを加えた厚さはちょうど該ＩＳＯ７８１６協定の規格に適ったものであることを特徴とする請求項９記載の多機能を具有するマルチプルカードの構造。
【請求項１１】
該ディスクの厚さはＩＳＯ７８１６協定の規格に適ったものであることを特徴とする請求項８記載の多機能を具有するマルチプルカードの構造。
【請求項１２】
該読み取り補助盤の設置区両側にはそれぞれ固定凸板が設けられていることにより、該設置区が両該固定凸板間にて自然に形成されていることを特徴とする請求項８記載の多機能を具有するマルチプルカードの構造。
【請求項１３】
該読み取り補助盤には読み取り補助板上板と、読み取り補助板下板とを含み、
内部には、該ディスクの外形に対応した形状に設計され、該ディスクが設置されるディスク設置位置が設けられている該読み取り補助板上板と、
嵌合装置により、該読み取り補助板上板と相互に嵌合固定され、且つ該ディスクの厚さと合わせることにより、世界標準光ディスク協定規格に適った厚さとなる該読み取り補助板下板と、
を具有することを特徴とする請求項８記載の多機能を具有するマルチプルカードの構造。
【請求項１４】
ディスク表面には少なくとも磁気帯，ＩＣチップ，ＣＤ読み取り面及びそれらを組合せて一つとしたデータ読み取り区が設けられており、且つ該ディスクの厚さはＩＳＯ７８１６協定の規格に適ったものであることを特徴とする多機能を具有するマルチプルカードの構造。
【請求項１５】
該ディスク上には偏心位置に位置決め孔が穿設されていることを特徴とする請求項１４記載の多機能を具有するマルチプルカードの構造。
【請求項１６】
該ディスク上表面に貼設されているディスク保護膜を含み、且つ該ディスク保護膜の厚さに該ディスクの厚さを加えると、ＩＳＯ７８１６協定規格に適った厚さとなることを特徴とする請求項１４記載の多機能を具有するマルチプルカードの構造。
【発明の詳細な説明】
【０００１】
【発明の属する技術分野】
本発明は多機能を具有するマルチプルカードの構造に係り、特に磁気帯やＩＣチップなどが該ディスク上に設けられており、読み取り補助盤に該ディスクを位置決めすることにより、カードリーダー内に挿入されてデータの読み取りが行われるものに関わる。
【０００２】
【従来の技術】
図１に示すように、公知構造の多機能を具有するマルチプルカードの構造では、主にディスク４０，読み取り補助盤５０を含む。該ディスク４０の表面（或いは裏面）には少なくとも一つの磁気帯４７，ＩＣチップ４９，ＣＤ読み取り面４５のデータ読み取り区が設けられており、その厚さＡはＩＳＯ７８１６協定の厚さの規格に適ったもの、即ち約０．８ｍｍ（Ａ；０．７６ｍｍ〜０．８２ｍｍ）であり、よって一般の磁気カードリーダー或いはカードリーダーなどの装置で、カードを挿し込んで、該磁気帯４７或いはＩＣチップ４９内のデータの読み取りが行えるものとなっている。該ディスク４０のＣＤ読み取り面４５中央個所には同様に中心孔４１が設けられており、且つ該ＣＤ読み取り面４５には一般のＣＤ同様に保護層，保存層，透光層，ピッツ（Ｐｉｔｓ），ランズ（Ｌａｎｄｓ）が設けられている。即ち一般のＣＤ（厚さＢ）と異なる点とは、全体の厚さＡは更に薄くなっており、０．８ｍｍとなっていることにある。
また、該読み取り補助盤５０においては、中央個所に該ディスク４０の外形に合わせて厚さが約０．４ｍｍ（Ｄ＝Ｂ−Ａ）の設置区５３が設けられており、該透光機能を具有する設置区５３中央個所には該ＣＤ読み取り面４５の中心孔４１に合わせて中心位置決め柱５５が設けられており、該中心位置決め柱５５は平滑な中心柱体、若しくは最上部に少なくとも一つ以上の位置決め凸歯５５５が設けられているものであり、該中心位置決め柱５５は該ＣＤ読み取り面４５の中心孔４１に挿し込まれ、こうして該ディスク４０を安定して該読み取り補助盤５０の設置区５３内に位置決めするようにしている。両者が重ね合わされたとき、該ＣＤ読み取り面４５が該設置区５３により０．４ｍｍ高くなり、こうして国際標準ＣＤ規格の厚さが達成され、それは約１．２ｍｍ（Ｂ）であり、こうすることで一般の光ディスクドライバ或いはリーダー内に挿入されて、該ＣＤ読み取り面４５のデータ読み取り或いは焼き付け動作が進行されるようになっている。また、該読み取り補助盤５０はＣＤ読み取り面４５の保護も兼ねており、汚れから護られていると言う効果も具有している。
【０００３】
図２に示すように、上述の公知構造におけるもう一つの実施例では、読み取り補助盤７０の中心位置決め柱７５を該ディスク中心孔４１に穿設する平滑な中心柱体としており、設置区７３の両側には少なくとも一つの固定突起７７が設けられており、該ディスク４０を更に堅牢に固定する目的が達成されている。また該ディスク４０を取り出そうとするとき、該読み取り補助盤７０の片側を下方に曲げることにより、該ディスク４０が自動的に飛出すようになっている。
【０００４】
【発明が解決しようとする課題】
上述のような公知構造における欠点としては、以下に示すものが挙げられる。
先ず、ディスク表面には何らの表示物（特に凹凸によるもの）が施されておらず、よってクレジットカード対応タイプではないことで、実用性が十分に発揮されていないことが言える。しかし、該ディスクの形状に凹凸の図案を直接設ければ、データ読み取り区のデータを破損してしまい、特に完全に平たい面が必要であるＣＤ読み取り面にとって言えば、凹凸を設けることは容易なことではない。
また、該ディスクのＣＤ読み取り面は中心位置に設けられているため、ＩＣチップの設置スペースは中心から周縁までの間の一部に限られており、即ちディスクの設計上不自由であり、相対してＣＤ読み取り面の使用範囲及びメモリの容量が小さく制限されていることになる。
ディスクのＣＤ読み取り面が中心に設置されていることによる欠点は、他にも吸引タイプのカードリーダー内に設置されるとき、中心孔が該カードリーダー内のフープと引っ掛かることがあり、正常な操作に影響が出やすいことが言える。
そこでＩＣチップや磁気帯が設けられたマルチカードの使用が更に便利になるように、本発明の多機能を具有するマルチプルカードの構造を提供する。
【０００５】
【課題を解決するための手段】
ディスク表面にＣＤ読み取り面及びＩＣチップ或いは磁気帯を設けると共に、更に凹凸表示物を具有するディスク保護膜を貼設し、且つ該ディスクに該ディスク保護膜を加えた厚さがＩＳＯ７８１６協定の規格に適った厚さとなるように設計（約０．８ｍｍ）し、こうすることで該ディスクを読み取り補助盤上に設置した際にその厚さが国際標準ＣＤの厚さの規格に適ったものとなり、該ディスクが該読み取り補助盤と共に光ディスクドライバ内に挿入して作業が進められるのに適したものとなり、更に該ディスクの偏心位置決めに孔を設けることでＩＣチップの設置スペースを確保し、こうすることで磁気カード，ＩＣカード，ＣＤなどの機能をディスク中にて一体化させる。
【０００６】
【発明実施の形態】
先ず図３に示すように、本発明の第一実施例では、その構造は主に読み取り補助盤９０，ディスク８０，ディスク保護膜８２より構成されており、該ディスク８０の表面（或いは裏面）の適当な個所には少なくとも一つのＩＣチップ８９或いはＣＤ読み取り面８５のデータ読み取り区が設けられており、該ディスク８０のＣＤ読み取り面８５中央には同様に位置決め孔８１が設けられており、且つ該ＣＤ読み取り面８５には一般のＣＤ同様に保護層，保存層，透光基板，ピッツ（Ｐｉｔｓ）及びランズ（Ｌａｎｄｓ）が設けられている。また該読み取り補助盤９０には主に適当な位置に該ディスク８０の外形に合った透光性を具有する設置区９３が設けられており、且つ該ＣＤ読み取り面８５の位置決め孔８１に合わせて中心位置決め柱９５が設けられており、該中心位置決め柱９５は平滑な柱体或いは最上部に少なくとも一つ以上の位置決め歯９５５が設けられた柱体となっている。
【０００７】
本実施例の主な特徴は、該ディスク保護膜８２が設けられていることにあり、該ディスク保護膜８２の表面には磁気帯８７や文字，数字，図案，凹凸物或いはそれらの組合せによる表示物８６が設けられている。そして、該ディスク保護膜８２の適当な位置には保護膜位置決め孔８４及び該ＩＣチップ８６を外に露出させるための窓８８が設けられている。必要に応じて予め該磁気帯８７或いは各種図案や文字，及び凹凸による表示物８６を該ディスク保護膜８２表面に形成させておき、更に該ディスク保護膜８２を該ディスク８０上に貼合させるこにより、該ディスク８０の構造に傷つけることなく、該ディスク８０表面に所望の各種表示物８６を形成させることができる。
該ディスク８０の厚さＡ１に更に該ディスク保護膜８２の厚さＡ２を足した厚さはＩＳＯ７８１６協定規格の厚さに適合したものとし、具体的には約０．８ｍｍ（０．７６ｍｍ〜０．８２ｍｍ）とし、例えばディスク８０の厚さが０．６ｍｍで、ディスク保護膜８２の厚さが０．２ｍｍである場合、該ディスク保護膜８２が貼られているディスク８０は同様に一般のカード（磁気カード）リーダーなどの装置内に挿しこんだり、平行にすることにより、該磁気帯８７やＩＣチップ８９内のデータが読み取れるようになっている。もちろん設置区９３の厚さＤ３（読み取り補助盤９０の厚さＢ３を該設置区９３の深さＡ３より引く）は、ディスク８０の厚さＡ１に合わせられており、「Ａ１＋Ｄ３」の厚さが国際標準ＣＤ規格の厚さとなるように設定されており、実施例中では該ディスク８０の厚さＡ１は０．６ｍｍに設定されており、該設置区９３の厚さＤ３は０．６ｍｍとなっている。よって該ディスク保護膜８２の貼られた該ディスク８０を該設置区９３に設置するとき、該ＣＤ読み取り面８５は該透光性を具有する設置区９３によって高さが加えられ、国際標準ＣＤ規格の厚さ（例えば１．２ｍｍ）に至り、一般のＣＤや光ディスクリーダーに適用するものとなり、該ＣＤ読み取り面８５のデータ読み取り或いは焼き付けの動作を達成することができる（図４参照）。
【０００８】
図５に示すように、本発明の第二実施例においては、該ディスク８０の磁気帯８７は外に露出して使用されることより、本実施例中では該磁気帯８７を該ディスク８０の表面に設けられているのであり、該ディスク保護膜８２の幅Ｌ２は該ディスク８０の幅Ｌ１から該磁気帯８７の幅Ｌ３より狭いものとし、こうすることで該ディスク保護膜８２を該ディスク８０に貼合させるとき、該磁気帯８７は該ディスク保護膜８２外に露出するようになる。
また必要に応じて、該ＩＣチップ８９は該ＣＤ読み取り面８５と同じ表面のディスク８０に設けてもよい（図中の破線８９参照）。また該読み取り補助盤９０の設置区９３は内側に窪んで設計されていることより、該ディスク８０は該設置区９３内に安定して位置決めされるため、該読み取り補助盤の中心位置決め柱は該中心位置決め孔９１として設計されてもよい。
【０００９】
更に、図６に示すように、本発明の第三実施例においては、主に該ディスク８２０の位置決め孔８２１を中心ではない位置に設ける。これは言いかえれば、位置決め孔中心点の位置は片側からの距離Ｗ１は該位置決め孔中心よりもう片側までの距離Ｗ２までの距離より小さく設計することになる。またＩＣチップ８２９は該ディスク８２０中で比較的大きな空間の側（長さＷ２の側）にもうける。こうすることにより、ＣＤ読み取り面８２５の面積、即ちメモリの容量を大きく設計することができるようになり、且つカードをセットすると吸引されて読み取り装置内に至るタイプのカード（磁気カード）リーダー内でもフープに嵌るといった不具合が解消される。
また本実施例の読み取り補助盤９２０は同様に該ディスク８２０の形状に合わせて設置区９２３が設けられており、該設置区９２３の適当な位置には中心位置決め孔或いは中心位置決め柱９２５が設けられており、該中心位置決め柱９２５は該読み取り補助盤９２０全体の重心、或いは中心の位置に設けるものとする。こうすることにより、該中心位置決め柱９２５の中心点から両側までの距離Ｗ５，Ｗ６は長さが同じになり、しかし該ディスク８２０の形状に合わせるべく、該中心位置決め柱９２５中心点より該設置区９２３両側までの距離Ｗ４，Ｗ３は異なるものとする。つまり、Ｗ４＝Ｗ２，Ｗ３＝Ｗ１であり、且つＷ４はＷ３より大きく、該Ｗ２は該Ｗ１より大きい。また図６，７に示すように、該設置区９２３の両側には固定柱９２７を設けてもよく、こうすることで該ディスク８２０の設置と取り外しが便利になるようにしてもよい。
もちろんこの実施例中で、該ディスク８２０と該読み取り補助盤９２０の間の厚さは前に述べたように、ＩＳＯ７８１６及び国際標準ＣＤ協定規格に適った厚さであり、該ディスク８２０表面には文字や図案或いは磁気帯を具有するディスク保護膜（図３中の８２参照）を貼設してもよく、且つ該中心位置決め柱９２５は中心位置決め孔に代えてもよい。尚、該読み取り補助盤，ディスク，ディスク保護膜は円形や方形，環状，ハート型，多辺形或いはその他のデザインとしてもよい。
【００１０】
図８に示すように、本発明の第四実施例においては、上述の読み取り補助盤を補助盤上蓋板９９及び補助盤下蓋板９７との組合せによるものとしており、該上蓋板９９の中心或いは重心位置には該上蓋板中心位置決め孔９９１が穿設されており、且つ該ディスク８２０の外形に合わせて該上蓋板９９の適当な位置には該ディスクを嵌設するディスク設置位置９９３が設けられ、該ディスク設置位置９９３の深さＡ５は該ディスク保護膜８２が貼られているディスク８２０が設置されるのにちょうどよい深さとなっている。該上蓋板９９の周縁には少なくとも一つの固定溝９９７が設けられており、且つ該固定溝９９７の片側には位置決め板９９７５が設けられており、更に該固定溝９９７の前段には板により隔離がされていない挿込口９９７１が設けられており、後段には板により隔離がされており、内側が広く外側の狭い凸柱通路９９７３が設けられている。
また該下蓋板９７は平板構造を呈しており、その中心位置には下蓋板中心位置決め孔９７１が設けられており、且つ周縁には該上蓋板９９の固定溝９９７に対応した位置には同じ数量の固定柱９７７が設けられ、該固定柱９７７は延伸凸柱９７７３によって該下蓋板９７より自然に突起した状態になり、且つ該延伸凸柱９７７３の後段にて横向きに延伸横板９７７１が延伸しており、略Ｔ字型の形状を呈した構造となっている。
【００１１】
該ディスク８２０のＣＤ読み取り面８２５内のデータを読み取る際、先ず該ディスク８２０を該下蓋板９９のディスク設置位置９２３内に設置し、該下蓋板９７の固定柱９７７を該相対する固定溝９９７と合わせて一体とする。害固定柱９７７の延伸横板９７７１は該固定溝９９７の挿込口９９７１より該固定溝９９７に入り込む。このとき該ディスク８２０は該下蓋板９７の位置決め前置区９７３に位置する（図９破線９７３参照）。
該上蓋板９９或いは該下蓋板９７を片側に向けて回転（図中の→Ｔ方向参照）させると、該固定柱９７７の延伸凸柱９７７３は該凸柱通路９９７３内で移動し、該延伸横板９７７１は該位置決め板９９７５の制限を受けて該固定溝９９７か内から外すことができなくなり、こうして該上蓋板９９と該下蓋板９７とが相互に嵌合固定され、且つ該ディスク８２０を該ディスク設置位置９９３ないに安定して位置決めする目的が達成される。このとき該ディスク８２０の縦向き延伸位置は該下蓋板９７の位置決め後置区９７３５に位置する（図９破線９７３５参照）。
もちろん、該ディスク８２０の厚さＡ４にディスク保護膜８２の厚さＡ２を足した厚さは上述の如くＩＳＯ７８１６の規格に適ったものであり、且つ該ディスク８２０の厚さＡ４に該下蓋板９７の厚さＤ４を足した厚さは国際標準ＣＤ協定の規格に適ったものである。例えば該上蓋板９９の厚さＡ６は約１．２ｍｍ、該ディスク設置溝９９３の深さＡ５は約０．８ｍｍ、該ディスク保護膜８２の厚さＡ２は約０．２、該ディスク８２０の厚さは約０．６ｍｍであり、該下蓋板９７の厚さＤ４は約０．６ｍｍである、等とする。
【００１２】
最後に図１０に示すように、本発明における第五実施例では、主に上述の実施例中における固定溝９９７と固定柱９７７の位置決め構造を更に簡単な構造とし、具体的には上述の固定溝９９７を嵌合孔９９８に代え、また該固定柱９７７を嵌合凸球９７８とすることにより、該嵌合孔９９８に該嵌合凸球９７８を嵌合させるものとし、こうすることでも上述同様に、効果的に該上蓋板９９及び該下蓋板９７を位置決めして固定することができる。
【００１３】
【発明の効果】
本発明によると、ＩＣチップや磁気帯やＣＤ読み取り面の設けられたディスク上に凹凸物による表示が施され、且つ一般のカードリーダーなどの装置内に挿入されても不具合の起こることがなくなり、更に実用的となったマルチプルカードの構造が提供された。
【図面の簡単な説明】
【図１】本発明の外観説明図である。
【図２】本発明の使用における動作を説明する側面図である。
【図３】本発明の実施例における分解構造説明図である。
【図４】図３における組立て後の外観説明図である。
【図５】本発明の第二実施例における分解構造説明図である。
【図６】本発明の第三実施例における分解構造説明図である。
【図７】図６における組立て後の外観図である。
【図８】本発明の第四実施例における分解構造説明図である。
【図９】図８における組立て後の断面図である。
【図１０】本発明の第五実施例における分解構造説明図である。
【符号の説明】
４０  ディスク
４１  中心孔
４５  ＣＤ読み取り面
４７  磁気帯
４９  ＩＣチップ
５０  読み取り補助盤
５３  設置区
５５  中心位置決め柱
５５５  位置決め歯
７０  読み取り補助盤
７３  設置区
７５  中心位置決め柱
７７  固定突起
８０  ディスク
８１  位置決め孔
８２  ディスク保護膜
８２０  ディスク
８２１  位置決め孔
８２５  ＣＤ読み取り面
８２９  ＩＣチップ
８４  保護膜位置決め孔
８５  ＣＤ読み取り面
８６  表示物
８７  磁気帯
８８  窓
８９  ＩＣチップ
９０  読み取り補助盤
９１  中心位置決め柄孔
９２０  読み取り補助盤
９２３  設置区
９２５  中心位置決め柱
９２７  固定凸柱
９３  設置区
９５  中心位置決め柱
９５５  位置決め歯
９７  補助盤下蓋板
９７１  下蓋板中心
９７３  位置決め前置区
９７３５  位置決め後置区
９７７  固定柱
９７７１  延伸横板
９７７３  延伸凸柱
９７８  嵌合凸球
９９  補助盤上蓋板
９９１  上蓋板中心位置決め孔
９９３  ディスク設置位置
９９７  固定溝
９９７１  挿込口
９９７３  凸柱通路
９９７５  位置決め板
９９８  嵌合孔
【図１】
2004158086.tif 000003
【図２】
2004158086.tif 000004
【図３】
2004158086.tif 000005
【図４】
2004158086.tif 000006
【図５】
2004158086.tif 000007
【図６】
2004158086.tif 000008
【図７】
2004158086.tif 000009
【図８】
2004158086.tif 000010
【図９】
2004158086.tif 000011
【図１０】
2004158086.tif 000012